(57)【要約】【課題】  タッチアップや面取り作業が不要であり、美観にも優れる框と桟との接合部、を備えた障子を有する開口部装置を提供する。【解決手段】  障子ベース部の見込み寸法より、障子ガラスパネル部の見込み寸法が大きい障子を備え、該障子の左右の縦框と上下の桟とが縦通しに接合されるとともに、縦框の上下端の一部が上下の桟と当接される部位において、外方に突出する長さの分、見込み方向に切り欠かれて形成された開口部装置において、左右の縦框と上下の桟との接合部をシールする面状部材と、切り欠き部の切断面を覆うカバー部材とが一体に形成された兼用部材を備える。【選択図】      図４
2006028840.tif 000002
【特許請求の範囲】
【請求項１】
障子ベース部の見込み寸法より障子ガラスパネル部の見込み寸法が大きい障子を備え、該障子の左右の縦框と上下の桟とが縦通しに接合されるとともに、前記縦框の上下端の一部が前記上下の桟と当接される部位において、前記外方に突出する長さの分、見込み方向に切り欠かれて形成された開口部装置であって、
前記左右の縦框と上下の桟との接合部をシールする面状部材と、前記切り欠き部の切断面を覆うカバー部材とが一体に形成された兼用部材を備えたことを特徴とする、開口部装置。
【発明の詳細な説明】
【技術分野】
【０００１】
本発明は、開口部装置に関し、特に、障子ベース部の見込み寸法よりガラスパネル部の見込み寸法が大である障子を備えた開口部装置に関する。
【背景技術】
【０００２】
建物には、四辺の枠体内に、一枚あるいは複数枚の障子を備え、該障子が固定式、あるいは可動式である開口部装置が一般に使用されている。これら枠体、及び各障子の四辺を構成する框、及び桟は、通常、アルミニウムの押し出し成形により形成される。
【０００３】
近年、住宅建物に対する要求性能が高級化しており、例えば、開口部装置に対し、高い美観を求めつつ、以前にも増して、断熱性や遮音性が要求されている。かかる断熱性や遮音性を満たすため、障子に嵌めこまれるガラスパネルの厚肉化、複層化が急速に進んでいる。
【０００４】
一方、障子を収容する枠体の見込み方向の寸法は、通常例えば７０ｍｍと固定化されているため、障子のガラスパネル部の見込み方向寸法が、障子ベース部の見込み方向の寸法より大となる場合が多くなってきている。このような場合に、障子の四辺を構成する桟や框は、枠体内に納まるべき周囲の部分は枠体の見込み寸法に合わせて薄く、ガラスパネルを収容する内側の部分はガラスパネルの厚さに合わせて厚く形成する必要がある。
【０００５】
通常、障子の四辺を構成する左右の縦框、上下の桟は、いわゆる縦通しに組み上げられる。上記したようにこれら框や桟は、アルミニウムの押し出し材で形成されるので、押し出し加工のままでは、長さ方向の一端側から他端側まで断面形状が同一である。従って、これら押し出し材で形成された框や桟を、周囲は薄く、内側を厚く組み立てようとした場合、縦框の上下両端の一部を切り欠く必要がある。この切欠きについて図６及び図７を参照して説明する。
【０００６】
図６（Ａ）は障子の右縦框と、上桟との接合部を示す斜視図、（Ｂ）は、接合部の分解斜視図である。また（Ｃ）及び（Ｄ）は、図６（Ａ）及び（Ｂ）の視点を、左斜め上方から、右斜め上方に変えて示す斜視図、及び分解斜視図である。なお、以下の説明においては便宜上図面手前側を室内側として説明する。
【０００７】
図示の接合部６０は、障子の右縦框６２と、上桟６１とが、コーキングシーラー６３を介してビス６４により連結されている。上桟６１及び右縦框６２は、通常アルミニウム押し出し加工により成形されたものであり、連結前の押し出し品素材としては、長手方向の断面形状がその全長に亘り一定である。従って、右縦框６２がいわゆる縦通しに上桟６１と接合される場合、右縦框６２の室内側張り出し部６５の上端は、上桟６１の室内側張り出し部６６の先端形状に合わせるため、切り欠かれる必要がある。各図における参照符号６７、６８、６９にて示される部位はこの切欠きにより右縦框６２に生じた切断面を表すものである。
【０００８】
図７（Ａ）は、右縦框６２を拡大して示す斜視図、（Ｂ）は切欠きにより右縦框６２から切り落とされた切片７０を示す斜視図である。なお、図７（Ａ）には切り落とされるべき切片７０が鎖線により示されている。
【０００９】
再び図６に戻り説明を続ける。切片７０が切り落とされた右縦框６２に上桟６１を組み付けると、図６（Ａ）、（Ｃ）に示されるように、切断面６９は、上桟６１に形成されたリブ部８０に覆われるが、切断面６７、６８は外部に露出されたままである。この切断面は、素材のアルミニウムの色がそのまま現れるので、通常サッシの外装の色がこれと異なる場合には、外装色に合わせるべく、切断面を塗料等によるタッチアップする作業が行われる。
【発明の開示】
【発明が解決しようとする課題】
【００１０】
しかし、切断面は一般に凹凸が大であり、タッチアップ作業がうまくゆかないことがあり、美観上好ましくないという問題があった。また、切断面６７と６９とが交差する角部８１(図７（Ａ）参照)は切り欠き加工のままであるとエッジ形状となっており、この部分で指を切ってけがをする恐れがあるため、面取り加工が必要であるという問題もあった。
【００１１】
そこで、本発明は、タッチアップや面取り作業が不要であり美観にも優れる框と桟との接合部、を備えた障子を有する開口部装置を提供することを課題とする。
【課題を解決するための手段】
【００１２】
本発明者は、問題となる切断面に近接する見込み方向に、コーキングシーラー６３が配設されていることに着目し、このコーキングシーラーを利用してこの切断面を覆うことができるのではないかとの着想を得て本発明を完成するに至った。以下、本発明について説明する。なお、本発明の理解を容易にするために添付図面の参照符号を括弧書きにて付記するが、それにより本発明が図示の形態に限定されるものではない。
【００１３】
請求項１に記載の発明は、障子ベース部の見込み寸法（Ｂ１、Ｂ２）より障子ガラスパネル部の見込み寸法（Ａ１、Ａ２）が大きい障子（２０、３０）を備え、該障子の左右の縦框（２３、２４；３３、３４）と上下の桟（２１、２２；３１、３２）とが縦通しに接合されるとともに、前記縦框の上下端の一部が前記上下の桟と当接される部位（Ｐ、Ｑ、Ｒ、Ｓ）において、前記外方に突出する長さの分、見込み方向に切り欠かれて形成された開口部装置（１００）であって、左右の縦框と上下の桟との接合部をシールする面状部材（５１）と、切り欠き部の切断面（１６７、１６８、１６９）を覆うカバー部材（５２）とが一体に形成された兼用部材（５０）を備えたことを特徴とする開口部装置により前記課題を解決しようとするものである。
【発明の効果】
【００１４】
請求項１の発明によれば、切り欠き部の切断面をカバー部材が覆うので、タッチアップや面取り作業が不要となる。また、切り欠き部の切断面を完全にカバー部材により覆い隠すことができるので、開口部装置の美観が向上する。しかも、兼用部材は、もともとあったコーキングシーラーと、切断面を覆うカバー部材を一体化したものなので、部品点数が増加することもない。
【００１５】
本発明のこのような作用及び利得は、次に説明する発明を実施するための最良の形態から明らかにされる。
【発明を実施するための最良の形態】
【００１６】
以下本発明を図面に示す実施形態に基づき説明する。
【００１７】
図１は、本発明の一実施形態にかかる開口部装置を室内側から示す正面図である。図示の開口部装置１００は、枠体１０の内部に左右に移動可能な外障子２０と内障子３０とを備えている。枠体１０は、上枠１１及び下枠１２、並びに左縦枠１３及び右縦枠１４が四辺に配置され、縦通しの枠体に組み上げられている。
【００１８】
外障子２０は、上桟２１、下桟２２、及び左右の縦框２３、２４（右縦框２４は後述する内障子３０の左縦框３３と召し合っているため図面には現れていない。）を四辺に配し、これら桟及び框の内部にガラスパネル２６が嵌め込まれている。不図示の右縦框２４には、後述する内障子３０の左縦框３３に取り付けられたクレッセント３５と係合されるクレッセント受け２５（不図示）が取り付けられている。
【００１９】
一方、内障子３０は、上桟３１、下桟３２、及び左右の縦框３３、３４が四辺に配され、これら桟及び框の内部にガラスパネル３６が嵌め込まれている。外障子の右縦框２５と召し合う左縦框３３には、内障子の右縦框２５に取り付けられたクレッセント受け２５に係合するクレッセント３５が取り付けられている。
【００２０】
図１において開口部装置１００の符号Ｐ、Ｑ、Ｒ、Ｓで示されている４箇所の、内障子３０の左右の縦框３３、３４と上下の桟３１、３２との接合部位には、本発明の特徴的部分である兼用部材５０が取り付けられている。なお、図１には表されていないが、外障子２０の室外側４箇所にある左右の縦框２３、２４と上下の桟２１、２２との接合部位にも同様に、本発明の特徴的部分である兼用部材５０が取り付けられている。
【００２１】
図２は、開口部装置１００を、図１に記載のII‐II線に沿って切断した垂直断面図である。ただし、図１においては外障子２０が開口部装置１００を閉鎖する位置に配置されて表されているのに対し、図２においては、外障子２０と内障子３０とが重ね合わされた、開口部装置１００が開放状態にある配置を示すものである。また、図２では、図面左方が室内側、右方が室外側をそれぞれ示す。
【００２２】
図２では、開口部装置１００において、上下の枠１１、１２の間に外障子２０、及び内障子３０が収容されている様子が表されている。外障子２０の左縦框２３及び右縦框（召し合わせ框）２４の上端、及び内障子３０の左縦框（召し合わせ框）３３及び右縦框３４の上端には、それぞれ振れ止めピース２９、３９が取り付けられている。振れ止めピース２９、３９には上向きに開口するスリット部が設けられている。一方上枠１１の下面側からは、このスリット部に向けて下方に延設された振れ止め片１５、１６が設けられている。そしてそれぞれのスリット部にこれら振れ止め片１５、１６差し入れられて、外障子２０、及び内障子３０の上部の見込み方向への振れが防止されている。
【００２３】
下枠１２には、レール１７、１８がそれぞれ外障子２０及び内障子３０の下方に上向きに延設されている。一方、外障子の下桟２２、及び内障子の下桟３２には、下面側から下方にその一部が突出するようにそれぞれ戸車２８、３８が回転自在に取り付けられている。そして戸車２８、３８がレール１７、１８上を、紙面手前／奥方向に転動することにより、内外の障子２０、３０は枠体１０内を左右水平方向（図では紙面の手前／奥方向）に移動可能とされている。
【００２４】
外障子２０の上下の桟２１、２２のそれぞれ下面側、上面側にはビード２７ｐ、２７ｑが配置され、これらビード２７ｐ、２７ｑを介して上下の桟２１、２２に複層ガラスパネル２６が固定されている。複層ガラスパネル２６は、２枚の単板ガラスパネル２６ｒ、２６ｓにより構成されており、これら単板ガラスパネル２６ｒ、２６ｓの間にはスペーサ２７ｒ、２７ｓが配置されて、両単板ガラスパネル２６ｒ、２６ｓの間に所定の空間を確保している。
【００２５】
また、内障子３０の上下の桟３１、３２のそれぞれ下面側、上面側にはビード３７ｐ、３７ｑが配置され、これらビード３７ｐ、３７ｑを介して上下の桟３１、３２に複層ガラスパネル３６が固定されている。複層ガラスパネル３６は、２枚の単板ガラスパネル３６ｒ、３６ｓにより構成されており、これら単板ガラスパネル３６ｒ、３６ｓの間にはスペーサ３７ｒ、３７ｓが配置されて、両単板ガラスパネル３６ｒ、３６ｓの間に所定の空間を確保している。
【００２６】
図３は、開口部装置１００を、図１のIII‐III線に沿って切断した横断面図である。図３では、図面上方が室外側を、下方が室内側をそれぞれ示している。この図においては、開口部装置１００の左右の枠１３、１４の間の、左側に外障子２０、右側に内障子３０が収容されている様子が示されている。外障子２０の左右には左縦框２３、右縦框２５が、内障子３０の左右には左縦框３３、右縦框３５が配置され、右縦框２５と左縦框３３とは召し合っている。各障子の、左右の縦框の間には、複層ガラスパネル２６、３６が配置され、これら複層ガラスパネル２６、３６はビードを介して左右の縦框２３、２５；３３、３５に固定されている。複層ガラスパネル２６は、２枚の単板ガラスパネル２６ｒ、２６ｓにより構成されており、これら単板ガラスパネル２６ｒ、２６ｓの間にはスペーサ２７ｒ、２７ｓが配置されて、両単板ガラスパネル２６ｒ、２６ｓの間に所定の空間を確保している。また、複層ガラスパネル３６は、２枚の単板ガラスパネル３６ｒ、３６ｓにより構成されており、これら単板ガラスパネル３６ｒ、３６ｓの間にはスペーサ３７ｒ、３７ｓが配置されて、両単板ガラスパネル３６ｒ、３６ｓの間に所定の空間を確保している。
【００２７】
右縦枠１４には外障子２０の動作軌道延長上に戸当たりストッパ４０が接するように配置されている。下枠１２（図２参照）には、レール１７が外障子２０の下側にその左右動作方向に延設されている。レール１７の右端は、戸当たりストッパ４０のわずかに手前に設定されている。かかる構成により外障子２０が図の右方向に引き寄せられても、右縦枠１４と外障子右縦框２４との衝突が回避される。
【００２８】
左縦枠１３には内障子３０の動作軌道延長上に戸当たりストッパ４５が接するように配置されている。下枠１２（図２参照）には、レール１８が内障子３０の下側にその左右動作方向に延設されている。レール１８の左端は、戸当たりストッパ４５のわずかに手前に設定されている。かかる構成により内障子３０が図の左方向に引き寄せられても、左縦枠１３と内障子左縦框３３との衝突が回避される。
【００２９】
図２、及び図３からも明らかなように、開口部装置１００においては、障子ベース部の見込み寸法（図２において、外障子２０については参照符号Ｂ１、内障子３０については参照符号Ｂ２により示されている矢印の長さ）より、障子ガラスパネル部の見込み寸法（図２において、外障子２０については参照符号Ａ１、内障子３０については参照符号Ａ２により示されている矢印の長さ）の方が大きい。すなわち、外障子２０は室外側に、内障子３０は室内側にはみ出している。通常所定寸法に抑えられている枠見込み寸法Ａに対して、内外障子２０、３０のガラスパネル２６、３６が複層化されることにより見込み寸法Ａ内に納まりきれないためである。このため、縦通しに構成された障子の桟と框との接合部において、両者の整合を図るため、框の上下端部の室外側／室内側にはみ出した部分であって、四辺の枠体内に納まるべき部分を、上述の如く切り欠いているのである。
【００３０】
図４（Ａ）は内障子３０の右縦框３４と、上桟３１との接合部Ｑ（必要があれば図１参照）を示す斜視図、（Ｂ）は、接合部Ｑの分解斜視図である。また（Ｃ）及び（Ｄ）は、図４（Ａ）及び（Ｂ）の視点を、左斜め上方から、右斜め上方に変えて示す斜視図、及び分解斜視図である。なお、図面手前側が室内側である。
【００３１】
図示の接合部Ｑは、内障子３０の右縦框３４と、上桟３１とが、本発明の特徴的部分である兼用部材５０を介してビス４４により連結されている。兼用部材５０は、右縦框３４と上桟３１との気密水密を図るシール部材としての機能と、下記する切断面部分をカバーするカバー部材としての機能を兼ね備えている。その構造については後に説明する。上桟３１及び右縦框３４は、アルミニウム押し出し加工により成形されている。その長手方向の断面形状は、その全長に亘り一定である。右縦框３４は縦通しに上桟３１と接合されている。右縦框３４の室内側張り出し部１６５の上端は、上桟３１の室内側張り出し部１６６の先端形状に合わせるため、切り欠かれている。参照符号１６７、１６８、１６９にて示される部位はこの切欠きにより右縦框３４に生じた切断面を表すものである。なお、切り欠き部の詳細については、従来技術の項で図７を参照して説明した事項をそのまま本項にも適用する。
【００３２】
切り欠き部の切片が切り落とされた右縦框３４に上桟３１を組み付けると、図４（Ａ）、（Ｃ）に示されるように、切断面１６９は、上桟３１に形成されたリブ部１８０に覆われる。一方、切断面１６７、１６８は兼用部材５０のカバー部５２により覆われる。
【００３３】
図５は兼用部材５０を拡大して示す斜視図である。図示の兼用部材５０は、シール部５１と、カバー部５２とを備えている。シール部５１は、一面側が上桟３１の右端部に当接され、他面側が右縦框３４の立設面１３４（図４（Ｂ）参照）に当接されて、上桟３１の上部において、ガラスパネル３６の上端との間に存在している空間の気密水密を保っている。シール部５１の略中央には孔５３が設けられ、ここにはビス４４（図４（Ｂ）、（Ｄ）参照）が挿通される。シール部５１の上部には、上端に開口を有する切り欠き部５４が形成されている。切り欠き部５４には、上枠１１の振れ止め片１６が上方から差し入れられる。
【００３４】
カバー部５２は、切断面１６８を覆う垂直部５５、切断面１６７を覆う傾斜部５６、及び傾斜部５６の先端に位置し、従来面取りを行っていた角部８１（図７（Ａ）参照）を覆うオーバーハング部５７を備えている。障子の框と桟との接合部に、かかる構成の兼用部材５０を備えることによって、タッチアップや面取り作業が不要であり美観や安全性にも優れる開口部装置を提供することができる。
【００３５】
なお、上記兼用部材は図１における、係合部位Ｑにおける例について説明したものであるが、同様な構成を他の係合部位Ｐ、Ｒ、Ｓに適用しても、上記と同様な効果を奏することができることはいうまでもない。また、室外側張り出している外障子２０についても同様の構成を適用でき、同様の効果を得ることが可能である。
【００３６】
本発明において、兼用部材５０を構成する材料について特に限定するものではなく、通常の合成樹脂、ゴムや、これらの混合物を適宜使用することができる。これらの中でも、材料としての剛性と柔軟性のバランス、耐候性、経済性等の観点から、特にオレフィン系熱可塑性エラストマー、シリコンゴム、ポリエチレン樹脂などが好適に使用される。
【００３７】
上記の実施形態では、引き違い障子を備えた開口部装置について本発明を説明したが、本発明はこれに限定されるものではなく、広く障子のベース部の見込み寸法より障子のガラスパネル部の見込み寸法が大きく形成されている開口部装置に適用可能である。例えば、片側嵌め殺し障子を備えた開口部装置、開き窓、内倒し窓、外倒し窓、ドア等を備えた開口部装置、等にも適用することができる。
【００３８】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００３９】
【図１】本発明の一実施形態である開口部装置を室内側からの視点から示す正面図である。
【図２】図１の開口部装置のII‐II線に沿った垂直断面図である。
【図３】図１の開口部装置のIII‐III線に沿った水平断面図である。
【図４】内障子の右縦框と、上桟との接合部を示す斜視図である。
【図５】兼用部材を拡大して示す斜視図である。
【図６】障子の右縦框と、上桟との接合部を示す斜視図である。
【図７】（Ａ）は、右縦框を拡大して示す斜視図、（Ｂ）は切欠きにより右縦框から切り落とされた切片を示す斜視図である。
【符号の説明】
【００４０】
Ａ  枠体見込み寸法
Ｐ、Ｑ、Ｒ、Ｓ  係合部位
１０  枠体
１１  上枠
１２  下枠
１３  左縦枠
１４  右縦枠
１５、１６  振れ止め片
１７、１８  レール
２０  外障子
２１  上桟
２２  下桟
２３  左縦框２３
２４  右縦框
２５  クレッセント受け
２６  ガラスパネル
２６ｒ、２６ｓ  単板ガラスパネル
２７ｐ、２７ｑ  ビード
２７ｒ、２７ｓ  スペーサ
２８  戸車
２９  振れ止めピース
３０  内障子
３１  上桟
３２  下桟
３３  左縦框
３４  右縦框
３５  クレッセント
３６  ガラスパネル
３６ｒ、３６ｓ  単板ガラスパネル
３７ｐ、３７ｑ  ビード
３７ｒ、３７ｓ  スペーサ
３８  戸車
３９  振れ止めピース
４０、４５  戸当たりストッパ
４４  ビス
５０  兼用部材
５１  シール部（面状部材）
５２  カバー部（カバー部材）
５３  孔
５４  切り欠き部−
５５  垂直部
５６  傾斜部
５７  オーバーハング部
６０  接合部
６１  上桟
６２  左縦框
６３  コーキングシーラー
６４  ビス
６５  室内側張り出し部（縦框）
６６  室内側張り出し部（上桟）
６７、６８、６９  切断面
７０  切片
８０  リブ部
８１  角部
１００  開口部装置
１３４  立設面
１６５  室内側張り出し部（縦框）
１６６  室内側張り出し部（上桟）
１６７、１６８、１６９  切断面
１８０  リブ部
【図１】
2006028840.tif 000003
【図２】
2006028840.tif 000004
【図３】
2006028840.tif 000005
【図４】
2006028840.tif 000006
【図５】
2006028840.tif 000007
【図６】
2006028840.tif 000008
【図７】
2006028840.tif 000009